【手続補正書】
【提出日】平成16年7月26日(2004.7.26)
【手続補正１】
【補正対象書類名】明細書
【補正対象項目名】特許請求の範囲
【補正方法】変更
【補正の内容】
【特許請求の範囲】
【請求項１】
少なくとも撮像光学系とカラー画像を得るための３つ以上の異なる分光特性を有する電子撮像素子と該電子撮像素子からの出力を基に信号処理や画像処理を行うコントローラとを有する撮像装置において、
前記撮像光学系中の焦点距離の決定に関わる光学素子は、屈折現象のみを用いた光学素子から構成され、
同一物点から発し該撮像光学系に入射する入射光束の光量を入力光量とし、その入射光束に対応してコントローラから出力する信号の強さを出力信号強度とするとき、波長４００ｎｍ〜７００ｎｍで入力光量に対する出力信号強度の比が最も高い波長の入出力比に対して、波長４００ｎｍの入出力比が１０％以下であることを特徴とする撮像装置。
【請求項２】
少なくとも撮像光学系とカラー画像を得るための３つ以上の異なる分光特性を有する電子撮像素子とを有する撮像装置において、
前記撮像光学系中の焦点距離の決定に関わる光学素子は、屈折現象のみを用いた光学素子から構成され、
同一物点から発し該撮像光学系に入射する入射光束の光量を入力光量とし、その入射光束に対応して撮像素子から出力する信号の強さを出力信号強度とするとき、波長４００ｎｍ〜７００ｎｍで入力光量に対する出力信号強度の比が最も高い波長の入出力比に対して、波長４００ｎｍの入出力比が６％以下であることを特徴とする撮像装置。
【請求項３】
少なくとも撮像光学系とカラー画像を得るための３つ以上の異なる分光特性を有する電子撮像素子とを有する撮像装置において、
前記撮像光学系中の焦点距離の決定に関わる光学素子は、屈折現象のみを用いた光学素子から構成され、
該撮像光学系に入射部から該電子撮像素子入射部までの分光透過率が、波長４００ｎｍ〜７００ｎｍで透過率が最も高い波長の透過率に対する４００ｎｍの波長の透過率の比が１５％以下であることを特徴とする撮像装置。
【請求項４】
波長４００ｎｍ〜７００ｎｍで入力光量に対する出力信号強度の比が最も高い波長の入出力比に対して、波長４２０ｎｍの入出力比が１０％以上であることを特徴とする請求項１記載の撮像装置。
【請求項５】
波長４００ｎｍ〜７００ｎｍで入力光量に対して出力信号強度の比が高い波長の入出力比に対して、波長４２０ｎｍの入出力比が６％以上であることを特徴とする請求項２記載の撮像装置。
【請求項６】
波長４００ｎｍ〜７００ｎｍで透過率が最も高い波長の透過率に対する４２０ｎｍの波長の透過率の比が１５％以上であることを特徴とする請求項３記載の撮像装置。
【請求項７】
前記カラー画像を得るための３つ以上の異なる分光特性を有する電子撮像素子の内、少なくとも一つの分光特性は、２つの高い感度を持つピーク波長を持ち、その２つのピーク波長の間に、２つのピーク波長の感度の双方に対して５０％以下の感度の波長を有することを特徴とする請求項３又は６記載の撮像装置。
【請求項８】
カラー画像を得るための３つ以上の異なる分光特性を有する電子撮像素子を有する撮像装置に装着可能な撮像光学系において、
前記撮像光学系中の焦点距離の決定に関わる光学素子は、屈折現象のみを用いた光学素子から構成され、
該撮像光学系の分光透過率が、波長４００ｎｍ〜７００ｎｍで透過率が最も高い波長の透過率に対する４００ｎｍの波長の透過率の比が１５％以下であることを特徴とする撮像光学系。
【請求項９】
波長４００ｎｍ〜７００ｎｍで透過率が最も高い波長の透過率に対して、波長４２０ｎｍ透過率の比が１５％以上であることを特徴とする請求項８記載の撮像光学系。
【請求項１０】
カラー画像を得るための３つ以上の異なる分光特性を有する電子撮像素子と該電子撮像素子からの出力を基に信号処理や画像処理を行うコントローラと前記電子撮像素子に外界の像を導く撮像光学系を着脱可能にするマウント部とを有する撮像装置において、
入射光束の光量を入力光量とし、その入射光束に対応してコントローラから出力する信号の強さを出力信号強度とするとき、波長４００ｎｍ〜７００ｎｍで入力光量に対する出力信号強度の比が最も高い波長の入出力比に対して、波長４００ｎｍの入出力比が１０％以下とする波長域調整手段を有することを特徴とする撮像装置。
【請求項１１】
前記波長域調整手段により波長４００ｎｍ〜７００ｎｍで入力光量に対する出力信号強度の比が最も高い波長の入出力比に対して、波長４２０ｎｍの入出力比が２０％以上としたことを特徴とする請求項１０記載の撮像装置。
【請求項１２】
前記波長域調整手段が、前記電子撮像素子と前記マウント部の間に配されたフィルターであることを特徴とする請求項１０又は１１記載の撮像装置。
【請求項１３】
前記撮像光学系の有効画面の７０％で無限遠物点に合焦したときの波長４００ｎｍの子午断面での色収差が４画素以上であることを特徴とする請求項１から７の何れか１項記載の撮像装置。
【請求項１４】
波長４３５ｎｍから６００ｎｍの色収差が、有効画面の７０％の範囲で３画素以内であることを特徴とする請求項１３記載の撮像装置。
【請求項１５】
前記撮像光学系は、開口絞りを有し、前記開口絞りより撮像素子側の光学系は全体に正の屈折力を持ち、さらに少なくとも１枚の負レンズを含むことを特徴とする請求項１から１４の何れか１項記載の撮像装置。
【請求項１６】
前記撮像光学系は、開口絞りと、それよりも撮像素子側の構成が、物体側から順に、正レンズ・負レンズと正レンズ群又は正レンズ・正レンズ・負レンズと正レンズ群であることを特徴とする請求項１５記載の撮像装置。
【請求項１７】
前記撮像光学系は、絞りより撮像素子側に、広角端から望遠端に変倍する際、像側から物体側に単調に移動しかつ負レンズをを含む群を有することを特徴とする請求項１５記載の撮像装置。
【請求項１８】
前記撮像光学系の移動群は絞りの直後に位置することを特徴とする請求項１７記載の撮像装置。
【請求項１９】
前記負レンズが以下の条件を満たすことを特徴とする請求項１５から１７の何れか１項記載の撮像装置。
（３）    ０．２＜ SＲRN／Ｄ＜２
（４）    １．７＜ｎRN＜１．９５
（５）    ２０＜νRN＜３０
（６）    ０．００４＜ΔθRN＜０．０５
ただし、 SＲRNは前記負レンズの小さい方の曲率半径、Ｄは撮像素子の有効撮像面の対角長、ｎRNは前記負レンズの屈折率、νRNは前記負レンズのアッベ数、ΔθRNは硝材のθg-F とνd をプロットした内のθg-F の値が０．５４３６、νd の値が６０．４９である硝材とθg-F の値が０．５８２８、νd の値が３６．２６である硝材の間の直線上を基準にしたときの前記負レンズの硝材のθg-F 方向への変位量で、異常分散性を数値的に表したものである。
【請求項２０】
前記撮像光学系の最も物体側の屈折力を有する光学素子は正レンズであることを特徴とする請求項１５から１８の何れか１項記載の撮像装置。
【請求項２１】
前記正レンズと隣りのレンズとの空気間隔が変倍に際して変化することを特徴とする請求項２０記載の撮像装置。
【請求項２２】
前記撮像光学系が、物体側から順に、正の屈折力を有する第１群、負の屈折力を有する第２群、正の屈折力を有する第３群、正の屈折力を有する第４群を含む変倍系より構成されていることを特徴とする請求項１５から２１の何れか１項記載の撮像装置。
【請求項２３】
前記撮像光学系中に反射率が波長４００ｎｍで５０％以上、波長４２０ｎｍで１０％以下である反射面を有することを特徴とする請求項１〜７、１０〜２１何れか１項記載の撮像装置。
【請求項２４】
前記反射面は、少なくとも２つの異なる屈折率を有する複数の薄膜を積層させた面からなることを特徴とする請求項２３記載の撮像装置。
【請求項２５】
前記撮像光学系中に反射率が波長４００ｎｍで５０％以上、波長４２０ｎｍで１０％以下である反射面を有することを特徴とする請求項８又は９記載の撮像光学系。
【請求項２６】
前記反射面は、少なくとも２つの異なる屈折率を有する複数の薄膜を積層させた面からなることを特徴とする請求項２５記載の撮像光学系。
【請求項２７】
少なくとも撮像光学系とフィルタ又はプリズムとカラー画像を得るための３つ以上の異なる分光特性を有する電子撮像素子とを有する撮像装置において、
前記撮像光学系中の焦点距離の決定に関わる光学素子は、屈折現象のみを用いた光学素子から構成され、
少なくとも１枚のフィルター又はプリズムの透過率が、最大透過率波長の透過率に対して波長４００ｎｍで１０％以下であることを特徴とする撮像装置。
【請求項２８】
少なくとも撮像光学系と前記撮像光学系の光路中に設けられ、一方をファインダー系光路とし、他方を撮影系光路とすべく光路を分割する光路分割手段とカラー画像を得るための３つ以上の異なる分光特性を有する電子撮像素子とを有する撮像装置において、
前記撮像光学系中の焦点距離の決定に関わる光学素子は、屈折現象のみを用いた光学素子から構成され、
該光路分割手段での入射光束に対する電子撮像素子側への射出光束の割合が、使用波長域の最長波長の射出率に対する波長４００ｎｍの射出率が１未満であることを特徴とする撮像装置。